(57)【要約】  可搬式ステージ（１００、２００、３００）は、取外し可能なデッキ（１０４）を支持する折畳み式骨組み（１０２）を含む。骨組みは、対向する折畳み式端部骨組みアセンブリおよび相対する側方骨組みアセンブリを含む。骨組みは、使用のための拡張位置から、保管のため骨組みがコンパクトになっている折畳み位置へと折重なる。側方骨組みアセンブリは各々、デッキの下方に開放空間を形成するＶ字構成を有する角度付き部分によって連結されたコーナ柱を含む。デッキは、このデッキ内の貫通孔内に延在するピンコネクタと連結する。ピンコネクタは、ステージの高さを調整するために上方からピンが回転させられた時点で相対的軸方向運動を提供するピン（１４６）を支持するネジ付きコネクタを有する。取外し可能な手摺は、ピンコネクタに取付く組付け用ブラケットを含む。【選択図】図１
2020523503.tif 000002
【特許請求の範囲】
【請求項１】
デッキ（１０４）を通って垂直に延在する貫通孔（１３６）を有するデッキ（１０４）と、
前記デッキ（１０４）の下方のフレーム（１０２）と、
を含む可搬式ステージシステム（１００、２００、３００）において、
前記貫通孔（１３６）内に延在し、上方から係合されるように構成された頂部係合部分を有するピン（１４６）と、
前記フレーム（１０２）上に組付けられ、前記ピン（１４６）に取付けられ、前記ピン（１４６）が第１の方向に回転した時点で前記デッキ（１０４）を上昇させる、高さ調整アセンブリ（１６０）と、
を特徴とする、可搬式ステージシステム（１００、２００、３００）。
【請求項２】
前記ピン（１４６）が第２の方向に回転した時点で前記高さ調整アセンブリ（１６０）が前記デッキ（１０４）を降下させる、請求項１に記載の可搬式システム（１００、２００、３００）。
【請求項３】
前記高さ調整アセンブリ（１６０）が、ブッシング（１６２）に対して螺合式に組付けられたロッド部分（１６４）およびピン部分（１４６）を含む、請求項１または２に記載の可搬式システム（１００、２００、３００）。
【請求項４】
前記頂部係合部分が、相補的工具による上方からの係合のために構成され前記ピン（１４６）の上部表面にある工具係合要素を含む、請求項１から３のいずれか１項に記載の可搬式システム（１００、２００、３００）。
【請求項５】
前記貫通孔（１３６）内で前記ピン（１４６）の周りにスリーブ（１３８Ａ）をさらに含む、請求項１から４のいずれか１項に記載の可搬式ステージシステム（１００、２００、３００）。
【請求項６】
前記ステージ（１００）が複数のデッキ（１０４）を含み、前記フレーム（１０２）が前記複数のデッキ（１０４）を支持するために構成されている、請求項１から５のいずれか１項に記載の可搬式ステージシステム（１００、２００、３００）。
【請求項７】
ピンコネクタアセンブリ（１４０）を含み、前記ピンコネクタアセンブリ（１４０）がハウジング（１４２）および該ハウジング（１４２）から延在する３つのアーム（１４２Ａ、１４２Ｂ、１４２Ｃ）を含み、各アーム（１４２Ａ、１４２Ｂ、１４２Ｃ）が、上に組付けられたさらなるピン（１４４）を有し、前記さらなるピン（１４４）は、さらなるデッキ（１０４）の貫通孔（１３６）内に延在しさらなるデッキ（１０４）のコーナを支持するように間隔取りされている、請求項１から６のいずれか１項に記載の可搬式ステージシステム（１００、２００、３００）。
【請求項８】
前記さらなるピン（１４４）がアーム（１４２Ａ、１４２Ｂ、１４２Ｃ）上に回転可能な形で組付けられており、前記ピンコネクタアセンブリ（１４０）が、デッキ（１０４）の下方に前記アーム（１４２Ａ、１４２Ｂ、１４２Ｃ）の１つ以上を位置付けするために回転可能な形で組付けられたハウジング（１４２）を含む、請求項７に記載の可搬式ステージシステム（１００、２００、３００）。
【請求項９】
前記フレームが、前記デッキ（１０４）を支持する折畳み式骨組み（１０２）を含み、前記デッキ（１０４）が前記骨組み（１０２）に対し取外し可能な形で組付けられており、前記骨組み（１０２）が、
前記デッキ（１０４）の相対する側に近接する第１の側方骨組みアセンブリと第２の側方骨組みアセンブリであって、前記第１および第２の骨組みアセンブリの各々が、下部フレーム部材（１１２）および２つの角度付きフレーム部分（１１４）によって連結された垂直柱（１１８）を有し、前記角度付きフレーム部分（１１４）の各々が、前記垂直柱（１１８）のうちの１つの垂直柱の上部区分から下向きに前記下部フレーム部材（１１２）の中心部分まで延在し、前記角度付きフレーム部分（１１４）が前記デッキ（１０４）の下方に遮るもののない空間を形成している、第１の側方骨組みアセンブリ（１０６）および第２の側方骨組みアセンブリ（１０６）と、
前記デッキ（１０４）の相対する端部に近接する第１の端部骨組みアセンブリと第２の端部骨組みアセンブリ（１０８）であって、前記第１および第２の端部骨組みアセンブリ（１０８）が、前記第１および第２の側方骨組みアセンブリ（１０６）を連結しており、前記第１および第２の端部骨組みアセンブリ（１０８）の各々が第１および第２の端部フレーム部材（１１６）を含んでおり、前記第１の端部フレーム部材（１１６）が、前記第２の端部フレーム部材（１１６）に対して枢動する形で連結され、前記第１の端部フレーム部材（１１６）が、前記第１の側方骨組みアセンブリ（１０６）に対して枢動する形で連結され、前記第２の端部フレーム部材（１１６）が前記第２の側方骨組みアセンブリ（１０６）に対して枢動する形で連結され、前記骨組み（１０２）が、展開位置から折畳み位置へと折重なり、前記第１および第２の側方骨組みアセンブリが、前記展開位置よりも前記折畳み位置においてより接近している、第１の端部骨組みアセンブリ（１０８）および第２の端部骨組みアセンブリ（１０８）と、
を含む、請求項１から８のいずれか１項に記載の可搬式ステージシステム（１００、２００、３００）。
【請求項１０】
前記第１および第２の端部フレーム部材（１０６）が前記折畳み位置で内向きに折重なり、前記展開位置で前記折畳み式骨組み（１０２）を選択的に保持する係止可能なヒンジ（１３２）によって連結される、請求項９に記載の可搬式ステージシステム（１００、２００、３００）。
【請求項１１】
前記折畳み式骨組み（１０２）が、複数のデッキ（１０４）を支持するために構成されている、請求項９または１０に記載の可搬式ステージシステム。
【請求項１２】
前記ピンコネクタアセンブリ（１４０）に組付く手摺（１８０）であって、
交差部材（１８２）と、
前記交差部材（１８２）を支持する脚部（１８４）と、
前記脚部（１８４）に取付けられ、前記ピン（１４６）を収容するために構成されたオリフィス（１９０）および前記コネクタアセンブリと係合するために構成された垂直方向係合用表面（１９２）を有するフランジ（１８８）を含む組付け用ブラケット（１８６）と、
を含む手摺（１８０）を含む、請求項７に記載の可搬式ステージシステム（１００、２００、３００）。
【請求項１３】
前記ピンコネクタアセンブリ（１４０）が、アーム（１４２Ａ、１４２Ｂ、１４２Ｃ）上に手摺組付け用表面（１５６）およびバックアップ組付け用表面（１５８）を含み、前記手摺（１８０）が前記ピンコネクタアセンブリ（１４０）に組付き、前記手摺組付け用表面（１５６）および前記バックアップ組付け用表面（１５８）は、前記手摺（１８０）をデッキ（１０４）の縁部に対して平行に位置付けするように配向されている、請求項７に記載の可搬式ステージシステム（１００、２００、３００）。
【請求項１４】
ピンコネクタアセンブリ（１４０）をさらに含み、前記ピンコネクタアセンブリが、ハウジング（１４２）から延在しアーム（１４２Ａ、１４２Ｂ、１４２Ｃ）上に組付けられた複数のピン（１４４、１４６）を含み、前記複数のピン（１４４、１４６）は、前記ピンの各々がデッキ（１０４）内の対応する貫通孔内に延在するように間隔取りされ構成され、前記ハウジング（１４２）は、前記デッキ（１０４）の下方で前記アームの１つ以上を位置付けするために回転可能に組付けされており、前記ピンコネクタアセンブリ（１４０）を選択された配向で位置付けするための解除アセンブリ（１４８）を含んでいる、請求項１に記載の可搬式ステージ（１００、２００、３００）。
【請求項１５】
前記解除アセンブリ（１４８）がハンドル（１５０）、ピン（１５２）およびバネ（１５４）を含み、前記ピン（１５２）が前記ハウジング（１４２）内で対応するオリフィスを通って選択的に延在する、請求項１４に記載の可搬式ステージ（１００、２００、３００）。
【発明の詳細な説明】
【技術分野】
【０００１】
本出願は、ＰＣＴ国際特許出願として２０１８年６月８日に出願されており、参照により開示全体が本明細書に組込まれている２０１７年６月９日出願の米国仮特許出願第６２／５１７，２４９号に対する優先権を請求するものである。
【０００２】
本発明は、可搬式ステージシステム、詳細には、高さ調整がステージデッキの上方から行なわれ、ピンコネクタアセンブリに手摺が組付けられ、折畳み式骨組みがステージデッキの下方の空間へのアクセスを可能にする、モジュール式ステージシステムに向けられている。
【背景技術】
【０００３】
可搬式ステージは、上昇した仮設ステージ表面を創出するために利用される。概して、矩形のステージは、縁部対縁部の関係で接合され得る。このようなステージは、ステージを組合せて拡張ステージ表面を創出できかつ異なる高さのステージと組合せてライザタイプの構造を形成できるような形で、高さ調整を提供する調整可能なフレームまたは脚部を有し得る。ステージは同様に、ステージ間の橋渡し用デッキを支持することもできる。このような可搬式ステージは、運搬可能であり、好ましくは、コンパクトな保管のために分解するかまたは折畳むことができる。
【０００４】
可搬式ステージシステムの例は、米国特許第４，８４３，７９２号、第５，０５０，３５３号、第５，３１７，８４２号および第５，３２３，５６３号中に示されている。このようなステージにはなお、その有用性に影響を及ぼす欠点がある。
【０００５】
先行技術のステージ構成システムは、標準的に、取外し可能なデッキを支持するための折畳み式骨組みを有する。しかしながら、骨組みは概して、フレームの側面に交差支持体をそして端部には折畳み部分を伴う格子タイプの骨組みとして構成される。ケーブルおよび異なる利用分野向けの他の要素を引回すためには、保管用のステージデッキ下方の空間にアクセスすることが必要となる可能性がある。先行技術の可搬式ステージ構成システムの骨組みは、デッキの下の部域に対する充分なアクセスを提供していない。したがって、特に大きい拡張表面を有する構成については、可搬式ステージの有用性は減少する。
【０００６】
ステージシステムは平滑な水準面上に据え付けることができるものの、脚部が調整不良であったり、あるいはステージが据え付けられる表面が平担かつ水平でない場合があるということも同様に認識され得る。これによって、デッキの上部表面が影響を受ける可能性があり、かつ凹凸の存在をひき起こして、平担な水平表面が達成されない可能性がある。凹凸は、またはユーザがステージ上を歩行した場合につまずきの危険となるか或る種のステージおよび／またはデッキがぐらつく可能性がある。先行技術のシステムでは、ステージの構成に応じて脚部または底部キャスタの位置を変えることによって調整を行なうことが必要であった。このような調整は、床の近くまたは少なくともステージデッキ構成の下方で行なわれる。しかしながら、調整を必要とする要素に対するアクセスは困難であり、大きな拡張ステージ表面が形成されステージ表面の外縁部近くでないステージの下方にアクセスする必要がある場合、アクセスは特に困難である。
【０００７】
可搬式ステージシステムが有するさらなる問題点は、ステージ構成の縁部に手摺を組付ける難しさにある。可搬式システムでは、手摺を組付けるためにステージデッキ自体が利用されてきた。しかしながら、連結部および相対的回転箇所の強度は、連結を骨組みの部分に対して行なうかステージデッキを支持する要素に取付けることができる場合ほどには高くない可能性がある。その上、デッキの強度は、他のフレーム要素ほど高くない可能性があり、手摺がデッキを損傷する場合もある。
【発明の概要】
【発明が解決しようとする課題】
【０００８】
したがって、新しい改良型のステージ構成システムが求められていることが分かる。このようなシステムは、充分な支持を提供しかつステージデッキの下方の部域に対するより大きなアクセスを可能にする折畳み可能な骨組みを提供しなければならない。このようなシステムは、同様に、ステージ表面の高さを調整し、デッキ表面の頂部から調整装置にアクセスすることによって高さ調整を行なわなければならない。可搬式ステージシステムは、ステージデッキに直接ではなくむしろ支持アセンブリに対する手摺の改善された組付けを含まなくてはならない。本発明は、これらの問題点ならびに可搬式ステージに付随する他の問題点に対処するものである。
【課題を解決するための手段】
【０００９】
本発明は、可搬式ステージシステム、詳細には、ステージの下側の空間に対するアクセスを提供し、ステージの上方からのステージデッキの高さの調整を提供し、かつ骨組みアセンブリの一部分に対する手摺の組付けを提供する折畳み可能な骨組みおよび取外し可能なデッキを伴う可搬式ステージシステムに向けられている。
【００１０】
可搬式ステージシステムは、１つ以上のステージデッキを支持する折畳み可能な可搬式骨組みを含む。一実施形態において、骨組みは単一の取外し可能な矩形のステージデッキを支持するが、他の実施形態においては、折畳み可能な骨組みは２つ、３つまたはそれ以上の取外し可能なステージデッキを支持する。単独デッキ、２連デッキおよび／または３連デッキの可搬式ステージアセンブリを異なる数の他の可搬式ステージアセンブリと組合せ、混合させ、整合させて、可変的な多数のサイズおよび構成を有する拡張されたステージ表面を達成し得るということが認識できる。その上、ステージは、拡張ステージ表面を達成するため骨組み間の橋渡しデッキを支持するように適応された骨組みを含む。
【００１１】
折畳み式骨組みは、側方区分および折畳み式端部区分を含む。折畳み式端部区分は、内向きに折重なり、保管のために側方区分が互いに向かって移動できるようにする２つの要素を含む。端部区分の要素は、共にヒンジ式に連結され、区分および骨組みを展開した使用構成に維持するためのバネ式ピンを含む。側方骨組み区分は、１つの水平部材と、コーナ柱の上部部分から下向きに水平骨組み部材の中央まで延在する２つの角度付き部分を含む。一実施形態では、角度付き部分は、単一の要素として形成されているが、骨組みは、水平部材に取付く２つの別個のフレーム要素でできていてよい。この構成は、骨組みが角度付き部材の上方の開放空間を維持するにつれてより大きなアクセスを可能にしながら、充分な支持を提供する。骨組みは、輸送のために係合されるか、ステージが展開された使用構成にある場合に係合解除され得るキャスタの上に組付けられる。
【００１２】
ステージデッキは、デッキの各コーナ近くの孔を通してピンタイプのコネクタに組付く。骨組みは、高さを調整するために上向きに延長可能な入れ子式要素を含む柱を、各デッキのコーナの近くに含む。
【００１３】
ピンタイプコネクタは、同様により少ない数の骨組みで橋渡しデッキを支持し拡張したステージ表面を形成するために、最高４本のピンを含む。ピンタイプのコネクタは、ステージ表面の側面に沿う場合に単一のピンがデッキの縁部を超えて位置付けされている状態で、または３つの橋渡しデッキを支持するためステージ表面の内側部分にある場合には全てのピンが外向きに延在する状態で、コネクタが拡張ステージ表面のコーナにある場合ピンがデッキの下方に位置付けされるような形で各コーナにおいて４方向に延在する複数の配向で組付けられてよい。
【００１４】
ピンコネクタは同様に、コーナ柱の入れ子式部分の頂部に組付く高さ調整システムも含んでいる。高さ調整アセンブリは、入れ子式部分内に組付くように構成されたブッシング、ブッシングに対し螺合式に連結されピンにも連結されているロッド、およびピンコネクタハウジングを収容するソケットを含む。高さ調整アセンブリのピンは、デッキ内の貫通孔を通って延在し、ピンおよびロッドを回転させるべく相補的工具を係合させるために六角形のまたは他の収容用部分を含む。ロッドがブッシングとの関係において回転するにつれて、ソケットは、ブッシングとの関係において軸方向に移動させられる。この回転がアセンブリの高さを、ひいては支持されるデッキの高さを変える。調整は、高さ調整アセンブリ内のピンの頂部にアクセスすることによって行なわれることから、高さ調整および平準化は、地面近くまたはデッキの下方の高さ調整機構にアクセスする必要はなくむしろステージ表面の上方で作業員によって実施され得る。
【００１５】
可搬式ステージシステムは、フレームに取付けられた時点でピンコネクタアセンブリに組付く取外し可能な手摺を含む。手摺は、手摺支持体の下端部に組付けられた組付け用ブラケットを含む。ブラケットは、ステージデッキの一縁部に平行な構成で手摺を維持するように整列されるピンコネクタハウジング上に組付け用表面を係合させるために構成されている。ブラケットは、組付け用表面と係合すると同時に、充分な支持と剛性を伴って手摺を正しい位置にしっかりと保持するためピンタイプのコネクタの１つの全体にわたり嵌合する。
【００１６】
これらの新規性特徴および本発明を特徴付ける他のさまざまな利点は、本明細書に添付されその一部を成すクレームの中で詳細に指摘されている。しかしながら、本発明、その利点およびそれを使用することによって得られる目的をより良く理解するためには、本発明のさらなる部分を形成する図面および本発明の好ましい実施形態を例示し説明する添付の記載事項を参照すべきである。
【００１７】
ここで図面を参照すると、複数の図全体を通して、同様の参照番号および文字が対応する構造を表わしている。
【図面の簡単な説明】
【００１８】
【図１】本発明の原理に係る展開位置における可搬式ステージの第１の実施形態の斜視図である。
【図２】デッキが取外された状態の、図１に示された可搬式ステージの斜視図である。
【図３】図２に示された可搬式ステージの端面立面図である。
【図４】図２に示された可搬式ステージの上面平面図である。
【図５】図２に示された可搬式ステージの側面図である。
【図６】デッキ支持柱が最下位置にある、図２に示された可搬式ステージの斜視図である。
【図７】折畳み位置における、図６に示された可搬式ステージの斜視図である。
【図８】図７に示された可搬式ステージの端面立面図である。
【図９】図７に示された可搬式ステージの上面平面図である。
【図１０】図７に示された可搬式ステージの側面図である。
【図１１】本発明の原理に係る展開位置における可搬式ステージの第２の実施形態の斜視図である。
【図１２】デッキが取外された状態の、図１１に示された可搬式ステージの斜視図である。
【図１３】図１２に示された可搬式ステージの端面立面図である。
【図１４】図１２に示された可搬式ステージの上面平面図である。
【図１５】図１２に示された可搬式ステージの側面図である。
【図１６】デッキ支持柱が最下位置にある、図１２に示された可搬式ステージの斜視図である。
【図１７】折畳み位置における、図１６に示された可搬式ステージの斜視図である。
【図１８】図１７に示された可搬式ステージの端面立面図である。
【図１９】図１７に示された可搬式ステージの上面平面図である。
【図２０】図１７に示された可搬式ステージの側面図である。
【図２１】本発明の原理に係る展開位置における可搬式ステージの第３の実施形態の斜視図である。
【図２２】デッキが取外された状態の、図２１に示された可搬式ステージの斜視図である。
【図２３】調整工具が挿入された状態の、図１、図１１または図２１に示されたステージ用の支持体およびステージデッキの斜視図である。
【図２４】図２３に示されたデッキ、支持体および工具の詳細図である。
【図２５】図２３中に示されたデッキの側面断面詳細図である。
【図２６】デッキが上昇した状態の、図２５に示されたデッキの側面断面図である。
【図２７】図１、図１１または図２１に示されたステージのための調整可能なピンコネクタアセンブリの斜視図である。
【図２８】図２７に示されたピンコネクタアセンブリの部分的に分解した斜視図である。
【図２９】図２７に示されたピンコネクタアセンブリの上面平面図である。
【図３０】図２９のライン３０−３０に沿って切り取った断面図である。
【図３１】図２７に示されたピンコネクタアセンブリのための調整可能なピンコネクタの分解斜視図である。
【図３２】図３１に示された調整可能なピンコネクタの分解側面図である。
【図３３】図１、図１１または図２１に示されたステージのための固定されたピンコネクタアセンブリの斜視図である。
【図３４】図３３に示されたピンコネクタアセンブリの部分的に分解した斜視図である。
【図３５】図３３に示されたピンコネクタアセンブリの上面平面図である。
【図３６】図３５のライン３６−３６に沿って切り取った断面図である。
【図３７】図１、図１１または図２１に示されたステージのための取外し可能な手摺の斜視図である。
【図３８】図３７に示された手摺の前面立面図である。
【図３９】図３７に示された手摺のための組付け用アセンブリの詳細図である。
【図４０】ピンコネクタアセンブリに組付けられた図２７に示された手摺の斜視図である。
【発明を実施するための形態】
【００１９】
ここで図面、詳細には図１〜１０を参照すると、全体として（１００）と呼称される可搬式ステージが示されている。図１〜１０に示された実施形態において、ステージ（１００）は、拡張された並置構成で３つのデッキ（１０４）を支持する折畳み式骨組み（１０２）を含む。骨組み（１０２）の間に橋渡しデッキを延在させ、骨組み（１０２）上に支持して、拡張され嵩上げされたステージ表面を形成し得ることも同様に認識できる。折畳み式骨組み（１０２）は、側方フレームアセンブリ（１０６）および折畳み式端部フレームアセンブリ（１０８）を含む。骨組み（１０２）は、選択的に格納できるキャスタアセンブリ（１１０）を含む。キャスタアセンブリを降下させた場合、骨組み（１０２）はキャスタ上に支持され、転動させて容易に移動させることができる。骨組み（１０２）が展開されて直ちに使用できる状態になった時点で、キャスタは上昇され、ステージは、足部または滑り金具（１２６）上に支持される。
【００２０】
側方フレームアセンブリ（１０６）は、下部水平フレーム部材（１１２）および角度付きフレーム部分（１１４）を含む。角度付きフレーム部分（１１４）は、全体にＶ字形の輪郭を形成する。この構成は、デッキ（１０２）の下方および角度付きフレーム部分（１１４）の上方に実質的な開放空間を提供する。図示された実施形態において、角度付きフレーム部分（１１４）は、単一の要素として形成されるが、各々の角度付きフレーム部分（１１４）は別個の要素であることもできると考えられる。開口部は、品目を保管する必要性が生じた場合、または作業員が開口部を通って到達しケーブル配線および他の要素を配設するために、ステージデッキ（１０４）の下方の空間に対するアクセスを提供する。その上開放構成は、ステージデッキを搭載した場合でも満足のいく支持および剛性を提供する。同様に、ステージデッキ（１０４）を上昇させた場合、開口部が増大することも認識できる。
【００２１】
ステージデッキ（１０４）は、概してデッキの各コーナにある柱（１１８）上で支持される。柱（１１８）は、骨組み（１０２）の頂部から延在する入れ子式要素（１２０）を含む。ピンコネクタアセンブリ（１４０）上のピン（１４６）が、デッキ（１０４）を通って水平方向に形成された以下で論述する貫通孔の中に挿入される。ピンコネクタアセンブリ（１４０）は、対応する入れ子式要素（１２０）の頂部上に組付く。高さは、入れ子式要素（１２０）内の離隔した調整孔（１２２）内へと延在するバネ式調整ピン（１２４）を用いて、多数の異なる高さに調整され得る。図示された実施形態において、高さは４８インチから７８インチの間で変動させることができる。しかしながら、フレームおよび／または入れ子式要素の高さを変動させることによって、他の高さおよび調整範囲を達成し得るということも認識できる。
【００２２】
骨組み（１０２）は、図７〜１０に示されているように保管のために折重なる。端部フレームアセンブリ（１０８）は、一対の端部フレーム部材（１１６）を含む。骨組みは、側方フレームアセンブリ（１０６）に対して端部フレーム部材（１１６）を枢動可能な形で組付けるためのヒンジ（１３０）を含む。さらに、端部フレームアセンブリ（１０８）の中心にあるヒンジ（１３２）は、端部フレーム部材（１１６）間のヒンジ式連結を提供する。バネ式ピン（１３４）が、端部フレーム部材（１１６）の選択的な係止および解除を提供する。ピン（１３４）を係合させて端部フレームアセンブリ（１０８）を展開された使用位置に係止する場合、骨組み（１０２）は、ピン（１４６）がデッキ（１０４）を通して形成された貫通孔と適正に整列されるような形で、位置付けされる。図７〜１０に示されているように、デッキが取外された状態で、折畳み式骨組み（１０２）は、展開された使用位置に比べ少ない空間しか占有せず設置面積もより小さいものである、さらにコンパクトな構成へと折畳み可能である。したがって、本発明は、常設デッキまたは折畳み不能なステージまたは取外し可能なデッキが無いステージに比べ少ない保管空間しか必要としない。折畳まれた構成にあるとき、骨組み（１０２）は、降下したキャスタアセンブリ（１１０）のキャスタ上を転動することによって容易に輸送され得る。
【００２３】
図１１〜２０に示された第２の実施形態において、可搬式ステージは、全体として（２００）と呼称される単独デッキユニットとして構成されている。単独の可搬式ステージ（２００）は概して、３つのデッキを支持するステージ（１００）に類似した要素を用いて構成される。しかしながら、骨組み（２０２）は、４つのフレーム柱（１１８）と１組の端部フレームアセンブリ（１０８）しか含まない。骨組み要素は、製造コストを削減するため、規格化され概して互換性がある、ということが認識され得る。その上、全てのユニットについて、矩形デッキ（１０４）を使用し得る。単独ステージ（２００）は同様に、骨組み（２０２）間の橋渡しデッキを支持する能力を有し、広範囲の嵩上げされた拡張ステージのサイズおよび構成を達成するためさまざまな構成で他のサイズの他のステージと組合わせることができる。
【００２４】
図２１〜２２に示された第２の実施形態において、可搬式ステージは、全体として（３００）と呼称される２連デッキユニットとして構成されている。２連可搬式ステージ（３００）は概して、３つのデッキを支持するステージ（１００）または単独デッキを支持するステージ（２００）に類似した要素を用いて構成される。しかしながら、骨組み（３０２）は、６つのフレーム柱（３１８）と２組のみの端部フレームアセンブリ（３０８）を含む。その上、全てのユニットについて、矩形デッキ（１０４）を使用し得る。２連ステージ（３００）は同様に、骨組み（３０２）間の橋渡しデッキを支持する能力を有し、広範囲の嵩上げされたステージのサイズおよび構成を達成するためさまざまな構成で３連デッキステージ（１００）および／または単独デッキステージ（３００）と組合わせることができる。異なるサイズの骨組みの使用は、広範囲のニーズおよび利用分野のためのレイアウトおよび設計における大きな柔軟性を提供する。ライザ構成でまたは多重レベルのステージを創出するために異なる高さのステージと共にステージを使用し得るということも認識できる。
【００２５】
ここで図２３〜２６を参照すると、図示されたデッキ（１０４）は、軽量で概して矩形の要素である。典型的なデッキは、幅４フィート×長さ８フィートである。しかしながら、方形デッキ、三角形デッキまたは他の台形デッキを含め、他の形状も可能である。デッキ（１０４）は、以下で説明するように、ピンコネクタを収容する垂直方向の貫通孔（１３６）をデッキ（１０４）の各コーナの近くに含む。貫通孔の中には、貫通孔を満たすためおよびピンの整列を満たすする目的で、スリーブタイプのインサート（１３８Ａ）が摺動可能な形で位置付けされている。スリーブタイプのインサート（１３８Ａ）は、デッキ（１０４）の各面と同一平面のエンドキャップ（１３８Ｂ）によって保持される。エンドキャップ（１３８Ｂ）は各々、ピン（１４６）の挿入を提供する中央開口部を含む。デッキが骨組み（１０２または２０２）上に組付けられた場合、ピン（１４６）は、底部エンドキャップ（１３８Ｂ）内の開口部を通って延在し、頂部エンドキャップ（１３８Ｂ）の内側面に近接して上向きにスリーブ（１３８Ａ）を押す。このようにして、貫通孔（１３６）は実質的に充填され、デッキ（１０４）の面が頂部表面であるか否かに関わらず、エンドキャップ（１３８Ｂ）は支持され、デッキ面と実質的に同一平面になる。その上、スリーブ（１３８Ａ）は、エンドキャップ（１３８Ｂ）により貫通孔（１３６）内部に保持され、こうしてスリーブ要素（１３８Ａ）の紛失は起り得ない。
【００２６】
ここで図２７〜３２を参照すると、全体として（１４０）と呼称される調整可能なピンコネクタアセンブリが示されている。ピンコネクタアセンブリ（１４０）は、回転可能なコネクタピン（１４４）を収容するアーム部分（１４２Ａ、１４２Ｂ、１４２Ｃ）および円筒形コーナ部分（１４２Ｄ）を含むハウジング（１４２）を含む。ハウジング（１４２）の円筒形コーナ部分（１４２Ｄ）は、フレーム柱（１１８）の入れ子式要素（１２０）の上端部において高さ調整アセンブリ（１６０）に取付く。ピンコネクタアセンブリ（１４０）は、３連ステージ（１００）、２連ステージ（３００）または単独ステージ（２００）のいずれかと使用可能である。回転可能なピン（１４４）は、水平シャフト上に組付き、ピン（１４４）が実質的に水平方向に延在する降下位置とピン（１４４）が垂直方向に延在する上昇位置との間に延在し、橋渡しデッキ（１０４）の貫通孔（１３６）の中に延在することができる。ピンコネクタアセンブリ（１４０）は同様に、ハウジング（１４２）がデッキ（１０４）のすぐ下で内側に向いているように、かつコーナ位置において必要とされ得るように、入れ子式要素（１２０）上に位置付けされ得る。その上、ステージの縁部については、回転可能なピン（１４４）の１つのみ、２つまたは３つ全てがステージ（１００）、（２００）または（３００）の縁部を超えるような形で、位置付けされてよい。
【００２７】
解除アセンブリ（１４８）は、中央アーム部分（１４２Ｂ）内のハンドル（１５０）、ピン（１５２）およびバネ（１５４）を含む。ピン（１５２）は、ハウジングおよび高さ調整アセンブリ（１６０）内の対応するオリフィスを通って選択的に延在し、ピンコネクタアセンブリ（１４０）の取外しならびにピンコネクタアセンブリ（１４０）を正しい位置に配向し得るような回転を可能にする。ハンドル（１５０）はハウジング（１４２）の下方に延在し、単純に外向きに枢動させられて、高さ調整アセンブリ（１６０）からハウジング（１４０）を解除する。ハウジング（１４２）は同様に、中央アーム部分（１４２Ｂ）上のバックアップ組付け用表面（１５８）および手摺組付け用表面（１５６）を含む。表面（１５６）および（１５８）は、先行技術のステージについて行なわれていたようにデッキに対してではなく、むしろピンコネクタアセンブリに対して手摺を組付けることを可能にする。組付け用表面は、中央アームから外れて位置付けされ、手摺がデッキの縁部に対して平行に位置付けされるような形で配向される。
【００２８】
ここで図３１および３２を参照すると、高さ調整アセンブリ（１６０）が示されている。高さ調整アセンブリ（１６０）は、フレーム柱（１１８）と整列しこのフレーム柱の上方で上向きにかつフレーム（１０２）または（２０２）上のデッキ（１０４）の貫通孔（１３６）内へと延在するピン（１４６）を含む。高さ調整アセンブリは、底部ネジ式ブッシング（１６２）を含み、入れ子式要素（１２０）内へと延在する。ロッド（１６４）がブッシング（１６２）内に螺合式に組付く。ソケット（１６６）がロッドに組付き、ピン（１４６）を支持する。ソケット（１６６）は、半径方向のフランジ（１６８）を含む。ピンコネクタアセンブリ（１４０）の円筒形コーナ部分（１４２Ｄ）は、半径方向フランジ（１６８）上に支持される。ピン（１４６）およびロッド（１６４）は、ピン（１４６）の回転が同様にロッド（１６４）も回転させこのロッド（１６４）がブッシング（１６２）との関係において螺合式に回転するような形で、連結される。代替的には、ピン（１４６）およびロッド（１６４）を、単一の要素として形成することができる。したがって、ネジ式連結は、ブッシング（１６２）および柱（１１８）との関係におけるソケット（１６６）およびピン（１４６）の軸方向運動を提供する。したがって、ピンを回転させることによって、ソケット（１６６）は上下に移動し、ピンコネクタアセンブリ（１４０）の高さを調整することができる。ネジ式関係が示されているものの、ウォームギヤまたはカムなど、軸方向にソケットを移動させる他の構成も可能である。入れ子式要素（１２０）内の離隔した調整孔と組合わせて、ステージ（１００）、（２００）および（３００）を適正な高さに調整することができ、適切な高さにさらに微調整することができる。その上、ステージが平らでない地面上にある場合または他の凹凸が存在する場合、嵩上げされたステージ表面を横断して水準面が維持されるように、高さ調整アセンブリを変更することができる。
【００２９】
再び図２３〜２６を参照すると、内部６角形を有するピン（１４６）は、デッキ（１０４）内に形成された貫通孔（１３６）の頂部を通って係合可能である。６角形の工具（１０００）を単純に、ピン（１４６）内の相補的６角形の中に挿入することができる。図２５に示されているように、高さ調整アセンブリ（１６０）は最下位置にある。しかしながら、工具（１０００）がピンを回転させた時点で、高さ調整アセンブリ（１６０）は対応するデッキ（１０４）のコーナにおいてデッキを上昇させる。ネジ山は、適正な水準面が達成できるように非常に微細な高さ調整を提供する。以前の可搬式ステージシステムとは異なり、作業員はステージ表面の上方から高さ調整に容易にアクセスしこれを実施するということも認識される。
【００３０】
ここで図３３〜３６を参照すると、ステージ（１００）、（２００）および（３００）は同様に、ピンコネクタ（１７０）の第２の実施形態を利用することができる。固定型ピンコネクタ（１７０）も同様に、回転可能なピン（１４４）およびフレーム柱の上方のピン（１４６）を含む。しかしながら、ハウジング（１７２）は高さ調整アセンブリを含まず、解除装置を含まない。紛失または分離しないようにストラップに連結され得る取外し可能なピン（１９４）を、ステージに対しピンコネクタを保持するために利用し得る、ということも認識できる。固定型ピンコネクタアセンブリ（１７０）は同様に組付け用表面（１５６）および（１５８）を含み、利用分野に応じて他のステージ上で高さ調整が用いられている間に、いくつかのステージ上で利用可能である。
【００３１】
ここで図３７〜４０を参照すると、手摺（１８０）は拡張されたステージ表面の縁部に沿って位置付けされるように構成されている。手摺（１８０）は、交差部材（１８２）および垂直部材（１８４）を含む。組付け用ブラケット（１８６）は、ピンコネクタアセンブリ（１４０）および／または（１７０）に組付くように構成されている。組付け用ブラケット（１８６）は、水平フランジ（１８０）、水平フランジ内に形成されたピン収容部分（１９０）および垂直係合表面（１９２）を含む。ストラップ上のピンは、ブラケット（１８６）を通って延在し、ピンコネクタアセンブリ（１４０）または（１７０）と係合する。組付け用ブラケットは、ブラケットが中央アーム部分（１４２Ｂ）に組付けられた時点で組付け用表面（１５６）と係合するように構成されるか、または、図４０に示されているように、アーム部分（１４２Ａ）または（１４２Ｃ）の側面と係合する。ピン収容部分（１９０）は、回転ピン（１４４）全体にわたって嵌合して、正しい位置付けおよび整列を保証する。コネクタピン（１９４）は、ブラケット（１８６）およびバックアップ表面（１５６）および（１５８）を通って延在する。垂直係合表面は、対応する組付け用表面（１５６）と当接する。このような構成では、レール（１８０）がピンコネクタアセンブリ（１４０、１７０）に組付き、デッキとの係合を必要としない。拡張されたステージ表面の周囲に充分な安全性を提供するため、頑丈な支持および強い連結が行なわれる。
【００３２】
しかしながら、以上の説明において本発明の多くの特徴および利点が本発明の構造および機能の詳細と共に明記されてきたにせよ、開示は例示を目的としたものにすぎず、添付のクレームが表現されている用語の広義の一般的な意味により示されているかぎりにおいて本発明の原理の範囲内で、特に部品の形状、サイズおよび配設に関して、あらゆる変更を詳細に加えることが可能である、ということを理解すべきである。
【図１】
2020523503.tif 000003
【図２】
2020523503.tif 000004
【図３】
2020523503.tif 000005
【図４】
2020523503.tif 000006
【図５】
2020523503.tif 000007
【図６】
2020523503.tif 000008
【図７】
2020523503.tif 000009
【図８】
2020523503.tif 000010
【図９】
2020523503.tif 000011
【図１０】
2020523503.tif 000012
【図１１】
2020523503.tif 000013
【図１２】
2020523503.tif 000014
【図１３】
2020523503.tif 000015
【図１４】
2020523503.tif 000016
【図１５】
2020523503.tif 000017
【図１６】
2020523503.tif 000018
【図１７】
2020523503.tif 000019
【図１８】
2020523503.tif 000020
【図１９】
2020523503.tif 000021
【図２０】
2020523503.tif 000022
【図２１】
2020523503.tif 000023
【図２２】
2020523503.tif 000024
【図２３】
2020523503.tif 000025
【図２４】
2020523503.tif 000026
【図２５】
2020523503.tif 000027
【図２６】
2020523503.tif 000028
【図２７】
2020523503.tif 000029
【図２８】
2020523503.tif 000030
【図２９】
2020523503.tif 000031
【図３０】
2020523503.tif 000032
【図３１】
2020523503.tif 000033
【図３２】
2020523503.tif 000034
【図３３】
2020523503.tif 000035
【図３４】
2020523503.tif 000036
【図３５】
2020523503.tif 000037
【図３６】
2020523503.tif 000038
【図３７】
2020523503.tif 000039
【図３８】
2020523503.tif 000040
【図３９】
2020523503.tif 000041
【図４０】
2020523503.tif 000042
【国際調査報告】
2020523503.tif 000043
2020523503.tif 000044
2020523503.tif 000045